(57)【要約】【課題】地盤側の基礎と建物の土台間に介在し、地震時の家屋の横揺れを遮断する免震装置であって常時は作動をロックされており、地震発生時に作動する免震装置を提供する。【解決手段】軽量建築物を支える土台１の底面に地盤側に向けてボールベアリング７を装着し、このボールベアリング７の大径ボール５を地盤側のコンクリート基礎２に埋設した鋼鉄製の受皿プレート３上に載置するようにした。またベタ基礎２に鉄鋼製アンカーボルト１６の下端を埋設固定し、このアンカーボルト１６をボールベアリング７の支持プレート９に穿設した円錐状の穴１０に挿通すると共に、アンカーボルト１６の上方をコイルスプリング１７で弾性的に下方に向け保持してアンカーボルト１６の中ほどに膨出させた円錐部分１８を支持プレート９の円錐穴１０に圧接するようにした。【選択図】図３
2007277810.tif 000002
【特許請求の範囲】
【請求項１】
軽量建築物を支える複数の土台（１）の底面に地盤側に向けてボールベアリング（７）を装着し、このボールベアリング（７）の大径ボール（５）を地盤側のコンクリート基礎（２）に埋設した鋼鉄製の受皿プレート（３）上に載置するようにした軽量建築物の免震装置。
【請求項２】
前記受皿プレート（３）は、その中心が外周より深くなる窪み（３ａ）を有する受皿状になっており、ボールベアリング（７）の大径ボール５が受皿プレート（３）の中央に来るよう常時は位置付けられている請求項１記載の免震装置。
【請求項３】
請求項１及び請求項２記載の免震装置を備えた軽量建築物において、地盤側のベタ基礎（２）に鉄鋼製アンカーボルト（１６）の下端を埋設固定し、このアンカーボルト（１６）をボールベアリング（７）の支持プレート（９）に穿設した円錐状の穴（１０）に挿通すると共に、アンカーボルト（１６）の上方をコイルスプリング（１７）で弾性的に下方に向け保持してアンカーボルト（１６）の中ほどに膨出させた円錐部分（１８）を支持プレート（９）の円錐穴（１０）に圧接するようにした免震装置。
【請求項４】
前記鉄鋼製のアンカーボルト（１６）の中間部分を細くし、地震による横揺れが生じた時にアンカーボルト（１６）が横揺れに抗して曲がり、アンカーボルト（１６）の上部に配したコイルスプリング（１７）の作用で土台（１）の上下動を押さえ込むようにした請求項３記載の免新装置。
【請求項５】
請求項１及び請求項２記載の免震装置を備えた軽量建築物において、前記ボールベアリング（７）の支持プレート（９）から垂下したアングル（１３）に固着したロッド（１２）の先にストッパ（１１）を設け、大径ボール（５）が受皿プレート（３）を乗り超えるような大きな地震の横揺れがある時に、このストッパ（１１）が基礎（２）の壁面に当接し、大径ボール（５）が受皿プレート（３）から離脱するのを防止するようにした免震装置。
【請求項６】
請求項１及び請求項２記載の免震装置を備えた軽量建築物において、複数の土台（１）間に張り渡された大引（５１）とベタ基礎（２）との間にコイルバネ（５７）で弾性的に保持され、基礎（２）に対し傾倒自在な弾性ジョイント（５０）を複数本設けた軽量建築物の免震装置。
【請求項７】
前記弾性ジョイント（５０）の円筒ケース（５２）内にネジ止めされた一方のネジロッド（５３）を大引き（５１）に固着させたＬ字アングル（５５）の下部に設けたバネケース（５６）内に挿通し、コイルバネ（５７）で上方に付勢するようにその端部を保持させると共に、他方のネジロッド（５４）の先端に球支点（５４ａ）を設け、基礎（２）上のプレート（５８）に設けた球体カバー（５８ａ）で球支点（５４ａ）を包み固定するようにした構造である請求項６記載の免震装置。
【請求項８】
請求項１及び請求項２記載の免震装置を備えた軽量建築物において、常時は、基礎（１）側に設置される免震装置の拘束装置（２３）側からロックボルト（２４）を突出させ、土台（１）に固着したプレート（２２）の穴（２２ａ）に係入させて基礎（２）と土台（１）間を固定し、地震を検知した時に、このロックボルト（２４）がロックレバー（２７）の係止から外れ、コイルバネ（２６）の作用で前記穴（２２ａ）から離脱してロック状態を解除するようにした免震装置。
【請求項９】
前記ロックボルト（２４）の地震検知解除を家屋の外側壁に設置した１個の天秤及び振り子式の地震感知器（３５）により行うようにした請求項８記載の免震装置。
【請求項１０】
前記地震感知器（３５）が、振り子と天秤の組合せで構成されており、常時は、支点（２８）で支持された天秤の一方のアーム（４１）端部から下方に伸びる針（４３）がウエイト（４９）の重みで回転力を付与され、振り子（４６）上端の皿（４４）の中心近傍に当接しており、該振り子（４６）は下端に錘（４６ａ）を備え、また軸止板（４５）で揺動自在に保持されている請求項９記載の免震装置。
【請求項１１】
請求項１０記載の地震感知器（３５）が地震時の横揺れを感知すると振り子（４６）が揺れて天秤アーム（４１）の針（４３）が皿（４４）から落下し、天秤の他側のアーム（４２）が回転してスイッチ（４０）のロッドを押してスイッチ（４０）が閉となり、電磁石（３９）が作動し、引金（３４）を回転させてハンマー（３１）の係止を解き、ハンマーシリンダ（３２）内に圧縮されていたコイルスプリング（３３）の作用でハンマー（３１）を押し出し、レバー（２７）の打撃点（２７ａ）を打つことによりレバー（２７）を回転させロックボルト（２４）端部の係止を解きロック状態を解除するようにした免震装置。
【発明の詳細な説明】
【技術分野】
【０００１】
本発明は軽量建築物における地盤側の基礎と建物の土台間に介在させ地震時の横揺れを遮断する免震装置に関するものである。
【背景技術】
【０００２】
木造建築物の免震装置として基礎上に複数個のボールベアリングを設け、土台の下部に設けた受け皿に円弧状の窪みが複数個設けられ、それぞれが独立した滑走体となり、地震発生時の横揺れによる衝撃を緩和するものが開示されている。（特許文献１）
【０００３】
しかしながらこのものは、基礎上の一体のキャスターにボールベアリングを複数個設けたものであり、それに合わせ土台下に円弧状の窪みを複数個設けた受け皿であるのでコスト高である。又、一体のベアリングに複数個の円弧状の窪みに個々の滑落防止壁を設けているため横移動の揺れに対し可動範囲が極端に狭くなるという問題があった。また又木造建築物の場合、ベアリングを基礎上に設置した場合、外壁下部の水切りと、基礎上のベアリングが横移動時、接触し破損する可能性が高くなるという問題もある。
【０００４】
また特許文献１に開示されるアンカーボルトは、基礎と土台の間に介在し、基礎上に埋設されたアンカーボルトに、穴を開けた土台を捜通し、ナットで締めいているため可動範囲が狭い。又アンカーボルト自体に複元力がないため、曲がると元にもどりにくいという問題がある。
【０００５】
また免震装置を地震発生時に機能させるストッパが特許文献２に開示されている。このものは土台固定プレート、あるいは基礎固定プレートに球体を乗せるリングを設け地震の揺れで球体がリングから落下し、バケット内に入りその重みでストッパが外れ、風揺れ防止装置が解除されるものであった。然しながらこの解除装置は複数個設置し、球体が横揺れを感知しリングから落下するまでにばらつきが生じる可能性があり、免震機構固定解除装置がうまく機能しない事も考えられる。
【特許文献１】特開２００１−１８２３６３号公報
【特許文献２】特開２０００−９１７３号公報
【発明の開示】
【発明が解決しようとする課題】
【０００６】
地盤側の基礎と建物の土台間に介在し、地震時の家屋の横揺れを遮断する免震装置であって常時は作動をロックされており、地震発生時に作動する免震装置を提供する。
【課題を解決するための手段】
【０００７】
本発明は以上のような従来技術の問題点に鑑みなされたもので、軽量建築物を支える複数の土台１の底面に地盤側に向けてボールベアリング７を装着し、このボールベアリング７の大径ボール５を地盤側のコンクリート基礎２に埋設した鋼鉄製の受皿プレート３上に載置するようにしたものであり、前記受皿プレート３は、その中心が外周より深くなる窪み３ａを有する受皿状になっており、ボールベアリング７の大径ボール５が受皿プレート３の中央に来るよう常時は位置付けられていることを第１の特徴とする。
【０００８】
また地盤側のベタ基礎２に鉄鋼製アンカーボルト１６の下端を埋設固定し、このアンカーボルト１６をボールベアリング７の支持プレート９に穿設した円錐状の穴１０に挿通すると共に、アンカーボルト１６の上方をコイルスプリング１７で弾性的に下方に向け保持してアンカーボルト１６の中ほどに膨出させた円錐部分１８を支持プレート９の円錐穴１０に圧接するようにした。そして前記鉄鋼製のアンカーボルト１６の中間部分を細くし、地震による横揺れが生じた時にアンカーボルト１６が横揺れに抗して曲がり、アンカーボルト１６の上部に配したコイルスプリング１７の作用で土台１の上下動を押さえ込むようにしたことを第２の特徴とする。
【０００９】
さらに前記ボールベアリング７の支持プレート９から垂下したアングル１３に固着したロッド１２の先にストッパ１１を設け、大径ボール５が受皿プレート３を乗り超えるような大きな地震の横揺れがある時に、このストッパ１１が基礎２の壁面に当接し、大径ボール５が受皿プレート３から離脱するのを防止するようにしたことを第３の特徴とする。
【００１０】
また複数の土台１間に張り渡された大引５１とベタ基礎２との間にコイルバネ５７で弾性的に保持され、基礎２に対し傾倒自在な弾性ジョイント５０を複数本設け、前記弾性ジョイント５０の円筒ケース５２内にネジ止めされた一方のネジロッド５３を大引き５１に固着させたＬ字アングル５５の下部に設けたバネケース５６内に挿通し、コイルバネ５７で上方に付勢するようにその端部を保持させると共に、他方のネジロッド５４の先端に球支点５４ａを設け、基礎２上のプレート５８に設けた球体カバー５８ａで球支点５４ａを包み固定するようにした横揺れ防止装置を備えたことを第４の特徴とする。
【００１１】
さらに常時は、基礎１側に設置される免震装置の拘束装置２３側からロックボルト２４を突出させ、土台１に固着したプレート２２の穴２２ａに係入させて基礎２と土台１間を固定し、地震を検知した時に、このロックボルト２４がロックレバー２７の係止から外れ、コイルバネ２６の作用で前記穴２２ａから離脱してロック状態を解除するようにした。そして前記ロックボルト２４の地震検知解除を家屋の外側壁に設置した１個の天秤及び振り子式の地震感知器３５により行うようにしたことを第５の特徴とする。
【００１２】
また前記地震感知器３５が、振り子と天秤の組合せで構成されており、常時は、支点２８で支持された天秤の一方のアーム４１端部から下方に伸びる針４３がウエイト４９の重みで回転力を付与され、振り子４６上端の皿４４の中心近傍に当接しており、該振り子４６は下端に錘４６ａを備え、また軸止板４５で揺動自在に保持されていることを第６の特徴とする。
【００１３】
前記地震感知器３５が地震時の横揺れを感知すると振り子４６が揺れて天秤アーム４１の針４３が皿４４から落下し、天秤の他側のアーム４２が回転してスイッチ４０のロッドを押してスイッチ４０が閉となり、電磁石３９が作動し、引金３４を回転させてハンマー３１の係止を解き、ハンマーシリンダ３２内に圧縮されていたコイルスプリング３３の作用でハンマー３１を押し出し、レバー２７の打撃点２７ａを打つことによりレバー２７を回転させロックボルト２４端部の係止を解き、コイルバネ２６の作用で前記プレート２２の穴２２ａから離脱してロック状態を解除するようにした装置であることを第７の特徴としている。
【発明の効果】
【００１４】
第１の特徴によれば、受皿プレートの受け皿を大きくする事により飛躍的に可動範囲が広くなり、地震時の大きな横揺れに対応できる。又簡素化によりコストを削減できる。また基礎天場と受皿プレートの受け皿の上場をそろえ、埋設する事により土台水切りを基礎天場に密設置でき屋内へ害虫の侵入や水切りの破損を防ぐ事ができる。
【００１５】
第２の特徴によれば、アンカーボルトが変動自在に動くので弾性ジョイントの下部支柱側のベタ基礎固定プレートは地盤の揺れに追随するが、上部支柱内のコイルスプリングに地盤の揺れが吸収され建築物に揺れが伝わらない。またアンカーボルトの中間部の腰を細かくする事により、地震時の横揺れで曲がったアンカーボルトの反発力が和らぐ。また基礎側面とアンカーボルトとの距離を空ける事によりアンカーボルトの曲がりを防げることなく可動範囲が大幅に大きくなる。また免震ベースとバネ式アンカーボルトの併用で複元力が大きくなるため、受皿プレートの窪みを浅くでき地震時の横移動で生じる縦振動を低減できる。
【００１６】
第３の特徴によれば、ベアリングが可動範囲を超える時、その移動を制限するとともに、ベアリングが受皿プレートの受け皿からの滑落を防御する。又防御時の装置に加かる不変動の摩擦抵抗もベアリングで緩和できる。さらに第４の特徴によれば、複数の土台１間に張り渡された大引５１とベタ基礎２との間に弾性ジョイント５０を複数本設けたので大引きの揺れを緩和できる。
【００１７】
第５の特徴によれば、地震感知器が単体であるので、地震発生時に複数個のロックピン固定解除装置に同時に電流が流れるため、全機一斉にロックが解除される。又再ロックも容易にできる。
【発明を実施するための最良の形態】
【００１８】
本発明の軽量建築物の免震装置は、軽量建築物を支える土台１の底面に地盤側に向けてボールベアリング７を装着し、このボールベアリング７の大径ボール５を地盤側のコンクリート基礎２に埋設した鋼鉄製の受皿プレート３上に載置するようにし、前記受皿プレート３は、その中心が外周より深くなる断面円弧状の窪み３ａを有する受皿状になっており、ボールベアリングの大径ボール５が受皿プレート３の中央に来るよう常時は位置付けられていることを第１の特徴とする。またベタ基礎２に鉄鋼製アンカーボルト１６の下端を埋設固定し、このアンカーボルト１６をボールベアリング７の支持プレート９に穿設した円錐状の穴１０に挿通すると共に、アンカーボルト１６の上方をコイルスプリング１７で弾性的に下方に向け保持してアンカーボルト１６の中ほどに膨出させた円錐部分１８を支持プレート９の円錐穴１０に圧接するようにし、さらに前記鉄鋼製のアンカーボルト１６の中間部分を細くし、地震による横揺れが生じた時にアンカーボルト１６が横揺れに抗して曲がり、アンカーボルト１６の上部に配したコイルスプリング１７の作用で土台１の上下動を押さえ込むようにしたことを第２の特徴とする。
【実施例１】
【００１９】
以下、図面に基づき本発明のひとつの好適な実施例を説明する。図１は本発明の免震装置を一般木造住宅へ用いた場合であって、図１（ロ）に示すように軽量建築物を支える土台１の底面に地盤側に向けてボールベアリング７を装着する。すなわちこのボールベアリング７は、ベアリング保持体６に組み込まれた複数個の小径ボール４を介して大径ボール５を滑動自在に保持するものであって土台１底面に固着したプレート９に下方に向け組み付けられている。
【００２０】
そしてベアリング保持体６に保持された大径ボール５は、地盤側のコンクリート基礎２の上面に埋設した矩形の受皿プレート３に載置されており、この鋼鉄製の受皿プレート３は図１（ハ）に示すようにその中心が外周より深くなる断面円弧状の窪み３ａを有する受皿状になっている。そしてこの大径ボール５が受皿プレート３の中央に来るようにボールベアリング７及びその受皿である受皿プレート３で構成する免震装置が柱を建てる土台１の真下となるように設置する。
【実施例２】
【００２１】
図２は、前述の免震装置が地震時に土台１から外れないようにするための脱落防止装置である。ベアリング７の支持プレート９の平坦面９ａ及び起立部分９ｂを土台１の側面及び底面に当接させボルト８で各固定する。支持プレート９の一側方に伸ばした平坦面９ａの端に円錐状の穴１０を開け、この穴１０に中間を細くして負荷が懸かったときに曲がるようにした剛性のある鉄鋼製のアンカーボルト１６を挿通し、このアンカーボルト１６下端のＬ字アングル１６ａをベタ基礎２に埋設し固定する。アンカーボルト１６の上方にはコイルスプリング１７を巻装し、ワッシャ１９とナット２０及び座金２１で止める。コイルスプリング１７の下端はアンカーボルト１６から膨出する円錐部分１８に載置した座金１４に当接している。従ってこの円錐部分１８が支持プレート９の平坦面９ａに穿設した円錐穴１０にコイルスプリング１７で付勢されて当接しアンカーボルト１６を揺動自在に保持する。
【実施例３】
【００２２】
また土台１に下方に向けて取り付けられるボールベアリング７の大径ボール５は、点線で示す奥側の広い基礎２ａ上のＬ字型の受皿プレート３上に載置されている。そして手前側の基礎２は切り欠かれており、この基礎２の切り欠き個所の範囲で移動し得るように支持プレート９に設けた円錐穴１０の近傍から垂下したアングル１３に固着したロッド１２の先に脱落防止用のリング状のストッパ１１が取り付けられている。そして大径ボール５が受皿プレート３を乗り超えるような大きな地盤の横揺れがある場合は、このリングストッパ１１が基礎２の壁面に当接し、大径ボール５が受皿プレート３から離脱するのを防止する。
【００２３】
図３はこの脱落防止装置であるアンカーボルト１６の作用を示すもので、地震の際に土台１に固定された免震装置がアンカーボルト１６で保持されて基礎２から離脱しない状態を示している。すなわち点線で示す奥側の基礎２ａ上部に設置された受皿プレート３は地震時の横揺れに追随するのに対し、土台１下部に固定されたベアリング７の大径ボール５は地盤の移動と反対方向に回転しながら滑走し横揺れに追随しない。また中間部分を細くしたアンカーボルト１６が横揺れに抗して曲がる時、アンカーボルト１６の上部に有るコイルスプリング１７が圧縮され土台１の上下動を押さえ込むように作用する。
【実施例４】
【００２４】
図４は、地震のゆれが建築物に及ばないように土台１の下側に張り渡された大引５１とベタ基礎２との間に介在する弾性ジョイント５０によるゆれ緩衝手段である。すなわち内ネジを切った円筒５２の両端に２本のネジロッド５３、５４をねじ込み、上側のネジロッド５３の先端は大引き５１の側面及び下面に固着させたＬ字アングル５５下側のバネケース５６内に挿通されコイルバネ５７で上方に付勢され保持されている。
【００２５】
下側のネジロッド５４の先端に球支点５４ａを設け、基礎２上のプレート５８に設けた球体カバー５８ａで球支点５４ａを包み固定する。この構成により土台１上に設置した大引き５１が横方向に揺動した時、弾性ジョイント５０が球支点５４ａを支点に傾いてロッド５３の先端に掛け止めされるコイルバネ５７を圧縮し、弾性ジョイント５０の傾きを弾性的に保持して大引５１の横揺れを押さえ込む。
【実施例５】
【００２６】
本発明の免震装置は、基礎２と土台１間にベアリング７を設けるものであるから常時は風による横揺れがないように基礎２と土台１間をロックし、そして地震時には地震の揺れを検知して直ちにロック状態を解除する必要がある。そのための手段が図５に示す免震装置の拘束・解除装置２３である。すなわち基礎１側に設置される拘束装置２３内からロックボルト２４を突出させ、土台１側底面のプレート２２の穴２２ａに係入させて基礎２と土台１間を固定する。そして地震発生時にこのロックボルト２４の後部がレバー２７のフックの係止から外れコイルバネ２６の作用で前記穴２２ａから離脱しロックを解除するようになっている。
【実施例６】
【００２７】
前記ロックボルト２４のレバー２７からの地震検知解除は、図６に示す家屋の外側壁に設置した振り子式の地震感知器３５により行う。すなわち常時は地震感知器３５内に設けた支点２８で支持された天秤の一方のアーム４１端部から下方に伸びる針４３がウエイト４９の重みで時計回りの回転力を付与されて振り子４６先端の皿４４の中心近傍に当接した状態となっている。また振り子４６の軸は下端に錘４６ａを備え、また前記皿４４の下方で軸止板４５に挿通され揺動自在に保持されている。
【実施例７】
【００２８】
地震感知器３５が地震時の横揺れを感知すると振り子４６が揺れて天秤アーム４１の針４３が皿４４から落下する。すると天秤の他側のアーム４２が時計回りに回転してスイッチ４０のロッドを押してスイッチ４０が閉となり、電磁石３９に磁力が発生する。従って電磁石３９の磁力板３８が引き金３４に連結するロッド先端の鉄片３７を吸着し、引金３４を反時計回りに回転させてハンマー３１のピンの係止を解く。するとハンマーシリンダ３２内に圧縮されていたコイルスプリング３３がハンマー３１を押し出し、支点２８で支持されるレバー２７の上方のハンマー打撃点２７ａを打ち、レバー２７がロックピン２４の端部から外れ、ロックピン２４を付勢するコイルスプリング２６が開放され一気にロックボルト２４を押し下げて免震機構のロックを解除する。
【００２９】
再度ロックする場合は、地震感知器３５の針４３を振り子４５の皿４４の上に戻すと天秤が反時計回りに回動し、スイッチ４０が切れ、電磁石３９が非励磁状態になる。すると引金３４はバネ３４ａの作用で時計回りに回転し、引き金３４のフックがハンマー３２のピン３２ａに対し係止待機状態となる。
【００３０】
この待機状態で拘束装置２３内のワイヤ４７を引くと支点２９を軸にリセットアーム３６が時計回りに回転し、ロックボルト２４を押し上げその先端を土台側プレート２２の穴に突入させる。そして同時にアームの先につけたロッド３０がハンマー３１を元の位置に押し戻すので係止待機状態にある引き金３４にピンが掛かりロック状態となる。尚、ワイヤ４７を緩めればリセットアーム３６はバネ３６ａに引寄せられ元の位置に戻り、再ロック完了となる。
【実施例８】
【００３１】
図８は、免震装置の配置図である。Ａの大きな丸印は、ベアリングと受皿プレートからなる本発明の免新装置の配置個所を示し、Ｂの小さな丸印を２個併設したものは、ストッパ付きアンカーボルトの配置個所を示し、Ｃの１個の小さな丸印はストッパ無しアンカーボルトの配置個所を示し、Ｄの長い角印は、固定手段であるロックボルトの配置個所を示し、Ｅの四角形は、大引きのゆれを防ぐ弾性ジョイント５０の設置個所を示している。そしてＦは地震感知装置３５の設置個所を示す。
【図面の簡単な説明】
【００３２】
【図１】本発明、免震装置の説明図である。（イ）は、ボールベアリングの土台側ベースの底面図である。（ロ）は、ボールベアリングおよび基礎側ベースの断面図である。（ハ）は、基礎側ベースの平面図である。
【図２】免震装置のボールベアリング脱落防止装置の説明図である。
【図３】図２における地震時の作動説明図である。
【図４】土台の下側の大引きに設ける自在弾性ジョイントの説明図である。
【図５】免震装置の拘束・解除装置の機構説明図である。
【図６】地震感知装置の斜視図である。
【図７】地震感知装置の作動説明図である。
【図８】免震装置の家屋配置図である。
【符号の説明】
【００３３】
１  土台
２  地盤側のコンクリート基礎
３  受皿プレート
４  小径ボール
５  大径ボール
６  ベアリング保持体
７  ボールベアリング
８  ボルト
９  支持プレート
１０  円錐状の穴
１１  ストッパ
１２  ロッド
１３  アングル
１４  座金
１６  バネ式アンカーボルト
１７  コイルスプリング
１８  円錐部分
１９  ワッシャ
２０  ナット
２１  座金
２２  土台側のプレート
２３  拘束装置
２４  ロックボルト
２６  巻バネ
２７  レバー
２８  支点
２９  支点
３０  ロッド
３１  ハンマー
３２  ハンマーシリンダ
３３  コイルスプリング
３４  引金
３５  地震感知器
３６  リセットアーム
３８  磁力板
３９  電磁石
４０  スイッチ
４１  天秤のアーム
４２  天秤の他側のアーム
４３  針
４４  皿
４５  軸止板
４６  振り子
４７  ワイヤ
５０  弾性ジョイント
５１  大引
５２  円筒ケース
５３  ネジロッド
５４  ネジロッド
５５  Ｌ字アングル
５６  バネケース
５７  巻バネ
５８  基礎固定プレート
Ａ  ボールベアリング免震ベース
Ｂ  バネ式アンカーボルトと滑落防御装置の併用
Ｃ  バネ式アンカーボルト
Ｄ  免震機構固定解除装置
Ｅ  自在弾性ジョイント
【図１】
2007277810.tif 000003
【図２】
2007277810.tif 000004
【図３】
2007277810.tif 000005
【図４】
2007277810.tif 000006
【図５】
2007277810.tif 000007
【図６】
2007277810.tif 000008
【図７】
2007277810.tif 000009
【図８】
2007277810.tif 000010